(57)【要約】【課題】簡易な構造で、足載せ台として使用される場合にはその高さ位置を、背もたれとして使用される場合にはその傾き具合を、それぞれ容易に調節することのできる背もたれ兼足載せ台を提供する。【解決手段】床Ｆに載置される状態位置として第１の状態位置と第２の状態位置とを傾動操作により切替可能な枠台２に、人の足または上半身を支える第１の支持部材３および第２の支持部材４が段違いで取り付けられてなる背もたれ兼足載せ台１であって、枠台２が第１の状態位置にあるときに第１の支持部材３が上段に位置するとともに、枠台２が第２の状態位置にあるときに第２の支持部材４が上段に位置し、かつ枠台２が第１の状態位置にあるときの第１の支持部材３の高さ位置Ｈ１が、枠台２が第２の状態位置にあるときの第２の支持部材４の高さ位置Ｈ２よりも高くなるように、各支持部材３，４を配置する。【選択図】図２
2007222212.tif 000002
【特許請求の範囲】
【請求項１】
床に載置される状態位置として第１の状態位置と第２の状態位置とを有し、それら状態位置を傾動操作により切替可能な枠台と、この枠台に段違いで取り付けられ、人の足または上半身を支える第１の支持部材および第２の支持部材とを備え、
前記枠台が前記第１の状態位置にあるときに前記第１の支持部材が上段に位置するとともに、前記枠台が前記第２の状態位置にあるときに前記第２の支持部材が上段に位置し、かつ前記枠台が前記第１の状態位置にあるときの前記第１の支持部材の高さ位置と前記枠台が前記第２の状態位置にあるときの前記第２の支持部材の高さ位置とが異なるように、前記第１の支持部材および第２の支持部材を配置することを特徴とする背もたれ兼足載せ台。
【請求項２】
前記第１の支持部材および第２の支持部材の少なくとも一方は、前記枠台に対する取付位置を調節可能とされる請求項１に記載の背もたれ兼足載せ台。
【発明の詳細な説明】
【技術分野】
【０００１】
本発明は、主に足載せ台として利用され、ときには背もたれとして利用され、体の疲れを軽減するのに役立つ背もたれ兼足載せ台に関するものである。
【背景技術】
【０００２】
従来、人がソファー等に座ったときに足の疲れを軽減する目的で使用されるものとして、例えば足載せ台（「オットマン」とも称される。）がある。かかる足載せ台としては、足を載せる足載せ部の位置が一定の高さに限られる構造のものが多い。ところが、使用者は足を比較的高い位置に上げたいときもあれば、足を比較的低い位置に下げたいときもある。このため、高さ調節が可能な足載せ台が望まれている。このような要望に応え得るものとして、例えば特許文献１にて提案されている足載せ台装置や特許文献２にて提案されている足乗せ台がある。
【０００３】
【特許文献１】登録実用新案第３０３０１４５号公報
【特許文献２】特開２００１−２０４５８４号公報
【０００４】
前記特許文献１に係る足載せ台装置においては、足載台を支える支柱部分が入れ子構造とされ、この支柱部分を適当な長さ寸法で固定する位置決め用固定螺子により、足載台の高さ位置を調節することができるようにされている。また、前記特許文献２に係る足乗せ台においては、側面視略コの字形の固定フレームの上辺部に可動部材（多段式ギヤやシリンダー等）を介して可動フレームを連結し、この可動フレームに足乗せ部を設けることにより、足乗せ部の高さ位置を調節することができるようにされている。
【０００５】
また、人がリラックスした姿勢で着座することのできるものとして、リクライニング機能付きの座椅子がある。かかる座椅子としてその多くのものは、座部と背もたれ部との間の連結部にラチェット機構等の位置調節手段が組み込まれており、その位置調節手段により背もたれ部の傾き具合を調節することができるようにされている。
【発明の開示】
【発明が解決しようとする課題】
【０００６】
しかしながら、前記特許文献１に係る足載せ台装置では、足載台の高さ位置を調節する際に、位置決め用固定螺子を緩めたり締め付けたりするといった面倒な作業が必要になるという問題点がある。また、前記特許文献２に係る足乗せ台では、足乗せ部の高さ調節機能を実現するために、足乗せ部が設けられる可動フレームを多段式ギヤやシリンダー等の可動部材を介して固定フレームに連結する必要があり、構造の複雑化を免れないという問題点がある。
【０００７】
一方、前記従来の座椅子では、背もたれ部の傾き調節機能を実現するために、座部と背もたれ部との間の連結部にラチェット機構等の位置調節手段を組み込む必要があり、やはり構造が複雑になるという問題点がある。
【０００８】
本発明は、このような問題点を解消するためになされたもので、簡易な構造で、足載せ台として使用される場合にはその高さ位置を、背もたれとして使用される場合にはその傾き具合を、それぞれ容易に調節することのできる背もたれ兼足載せ台を提供することを目的とするものである。
【課題を解決するための手段】
【０００９】
前記目的を達成するために、本発明による背もたれ兼足載せ台は、
床に載置される状態位置として第１の状態位置と第２の状態位置とを有し、それら状態位置を傾動操作により切替可能な枠台と、この枠台に段違いで取り付けられ、人の足または上半身を支える第１の支持部材および第２の支持部材とを備え、
前記枠台が前記第１の状態位置にあるときに前記第１の支持部材が上段に位置するとともに、前記枠台が前記第２の状態位置にあるときに前記第２の支持部材が上段に位置し、かつ前記枠台が前記第１の状態位置にあるときの前記第１の支持部材の高さ位置と前記枠台が前記第２の状態位置にあるときの前記第２の支持部材の高さ位置とが異なるように、前記第１の支持部材および第２の支持部材を配置することを特徴とするものである（第１発明）。
【００１０】
本発明において、前記第１の支持部材および第２の支持部材の少なくとも一方は、前記枠台に対する取付位置を調節可能とされるのが好ましい（第２発明）。
【発明の効果】
【００１１】
本発明によれば、人の足または上半身を支える第１の支持部材および第２の支持部材が枠台に段違いで取り付けられるとともに、この枠台が第１の状態位置にあるときに上段に位置する第１の支持部材の高さ位置と、その枠台が第２の状態位置にあるときに上段に位置する第２の支持部材の高さ位置とが異なるようにされているので、足載せ台として使用される場合にはその高さ位置を、背もたれとして使用される場合にはその傾き具合を、枠台の傾動操作によりそれぞれ容易に調節することができる。しかも、このような作用効果は、枠台に段違いで取り付けられる第１の支持部材および第２の支持部材の配置に特徴をもたせるといった極めて簡易な構造により得ることができる。なお、本明細書中において用いられる語句「足」とは、広義の意味での「足」であり、足首から下の部分と、足首から上の部分、つまり脚部とを含む全体を意味するものである。
【００１２】
また、第２発明の構成を採用することにより、使用者の体格や好み、使用条件などに応じて、第１の支持部材および／または第２の支持部材の取付位置を最適に設定することが可能になる。
【発明を実施するための最良の形態】
【００１３】
次に、本発明による背もたれ兼足載せ台の具体的な実施の形態について、図面を参照しつつ説明する。
【００１４】
〔第１の実施形態〕
図１には、本発明の第１の実施形態に係る背もたれ兼足載せ台の全体斜視図が示されている。
【００１５】
本実施形態の背もたれ兼足載せ台１は、床に載置される枠台２と、この枠台２に段違いで取り付けられ、人の足または上半身を支える第１の支持部材３および第２の支持部材４とを備えて構成されている。
【００１６】
前記枠台２は、左右方向に所定幅離間させて配される一対の脚部材５，５と、これら脚部材５，５を連結する第１の連結部材６、第２の連結部材７および第３の連結部材８とより構成されている。前記各脚部材５，５は、側方より見て倒立略Ｖの字形状を呈しており、垂直方向に延びる垂直脚部５ａと、水平面に対し下方向に所定角度で前方に延びる傾斜脚部５ｂと、これら垂直脚部５ａおよび傾斜脚部５ｂのそれぞれの上端部位を繋ぐように上凸に屈曲された屈曲部５ｃとより構成され、例えばスチールパイプに所要の曲げ加工等を施して形成されるものである。前記第１の連結部材６は、前記一対の脚部材５，５における互いの屈曲部５ｃ，５ｃを繋ぐように配置され、前記第２の連結部材７は、前記一対の脚部材５，５における互いの傾斜脚部５ｂ，５ｂの下部位置を繋ぐように配置され、前記第３の連結部材８は、前記一対の脚部材５，５における互いの垂直脚部５ａ，５ａの下部位置を繋ぐように配置されている。これら第１の連結部材６、第２の連結部材７および第３の連結部材８は、いずれもスチール製の中空丸棒よりなり、各脚部材５，５に穿設された螺子挿入孔を通して挿入される螺子９、螺子１０および螺子１１によってそれぞれ各脚部材５，５に固定されている。なお、この枠台２としては、金属製、木製および硬質プラスチック製のいずれであっても良い。
【００１７】
前記垂直脚部５ａおよび傾斜脚部５ｂにおけるそれぞれの下端部には、枠台２が後述する第１の状態位置（図２（ａ）参照）にあるときに、当該枠台２が床面上で滑らないように安定的に固定させておけるように、ゴム製やプラスチック製の脚キャップ１２が装着されている。また、前記垂直脚部５ａの後面には、枠台２が後述する第２の状態位置（図２（ｂ）参照）にあるときに、当該枠台２が床面上で滑らないように安定的に固定させておけるように、ゴム製やプラスチック製の滑り止めシート１３が所要個数だけ装着されている。
【００１８】
前記枠台２においては、各脚部材５，５における垂直脚部５ａおよび傾斜脚部５ｂのそれぞれの下端面が床面Ｆと対向するように当該枠台２が床に載置される図２（ａ）に示されるような第１の状態位置と、各脚部材５，５における垂直脚部５ａの後面（図１に示される状態を基準にした場合の後面）が床面Ｆと対向するように当該枠台２が床に載置される図２（ｂ）に示されるような第２の状態位置とを有している。そして、図２（ａ）に示されるような第１の状態位置にある枠台２を図において右側に９０°傾倒させるような傾動操作により、枠台２の状態位置が図２（ｂ）に示される第２の状態位置に切り替えられる。これとは逆に、図２（ｂ）に示されるような第２の状態位置にある枠台２を図において左側に９０°傾倒させるような傾動操作により、枠台２の状態位置が図２（ａ）に示される第１の状態位置に切り替えられる。
【００１９】
前記第１の支持部材３は、図１に示されるように、前記第１の連結部材６を芯金としてその芯金に円柱状のクッション材１４が軸心を一致させるように装着されて構成されている。一方、前記第２の支持部材４は、前記第２の連結部材７を芯金としてその芯金に前記クッション材１４と同様のクッション材が軸心を一致させるように装着されて構成されている。ここで、各支持部材３，４は、例えば、芯金（第１の連結部材６、第２の連結部材７）を発泡ウレタン等の発泡性樹脂あるいは綿、羽毛等の充填材で包んだ後、布地、合成樹脂シートあるいは合成ないし天然皮革等の表面素材でカバーすることにより製造される。
【００２０】
本実施形態の背もたれ兼足載せ台１においては、枠台２が前記第１の状態位置にあるときには前記第１の支持部材３が上段に位置するのに対して（図２（ａ）参照）、枠台２が前記第２の状態位置にあるときには前記第２の支持部材４が上段に位置し（図２（ｂ）参照）、かつ枠台２が第１の状態位置にあるときの第１の支持部材３の高さ位置Ｈ１（図２（ａ）参照）が、枠台２が第２の状態位置にあるときの第２の支持部材４の高さ位置Ｈ２（図２（ｂ）参照）よりも高くなるように（Ｈ１＞Ｈ２）、第１の支持部材３および第２の支持部材４の配置が、言い換えれば第１の連結部材６および第２の連結部材７の枠台２に対する固定位置関係が、それぞれ設定されている。
【００２１】
さらに、前記枠台２における各脚部材５，５には、図１に示されるように、前記螺子９を挿入可能な螺子挿入孔１５が屈曲部５ｃの頂上部から傾斜脚部５ｂに向かう方向に所定ピッチで所要個数だけ穿設されている。また、各脚部材５，５における傾斜脚部５ｂの下部位置には、前記螺子１０を挿入可能な螺子挿入孔１６が当該傾斜脚部５ｂの長手方向に所定ピッチで所要個数だけ穿設されている。こうして、枠台２に対する第１の支持部材３および第２の支持部材４のそれぞれの取付位置を調節することができ、使用者の体格や好み、使用条件などに応じて、各支持部材３，４の取付位置を最適に設定することが可能になる。
【００２２】
以上に述べたように構成される背もたれ兼足載せ台１の使用例として、足載せ台として使用する場合および背もたれとして使用する場合をそれぞれ順を追って以下に説明することとする。
【００２３】
（足載せ台としての使用例１：図３（ａ）参照）
足を比較的高い位置（例えば、踵部が腰と略同一高さとなるような位置）にて伸ばした状態で使用したい場合には、背もたれ兼足載せ台１をソファーＳの前方における適当な位置の床面Ｆ上に、枠台２が第１の状態位置（図２（ａ）参照）となるようにして載置する。そして、使用者Ｍは、ソファーＳに着座するとともに、背もたれ兼足載せ台１における第１の支持部材３上に踵部を載せる。こうして、踵部を腰と略同一高さとしてソファーＳに着座することにより、足の鬱血がより効率良く解消されて、足の疲れがより効果的に低減される。なお、図３（ａ）に示される背もたれ兼足載せ台１の前後方向の向き（図では左右方向の向き）は逆であっても良い。
【００２４】
（足載せ台としての使用例２：図３（ｂ）参照）
足を比較的高い位置にて屈曲させた状態で使用したい場合には、背もたれ兼足載せ台１をソファーＳの直前方位置の床面Ｆ上に、枠台２が第１の状態位置となるように載置する。この際、第２の支持部材４を前側に、第１の支持部材３を後側にそれぞれ位置させるように枠台２を床面Ｆ上に載置する。そして、使用者Ｍは、ソファーＳに着座するとともに、背もたれ兼足載せ台１における第１の支持部材３上に膝関節部を、第２の支持部材４上に踵部をそれぞれ載せる。こうして、足を比較的高い位置にて大きく曲げながら足の疲れを軽減し、リラックスした姿勢を保つことができる。なお、踵部から膝関節部までの長さは個人差があるため、第１の支持部材３および／または第２の支持部材４の枠台２に対する取付位置を適宜調節することにより、使用者Ｍの踵部から膝関節部までの長さに応じて、第１の支持部材３および／または第２の支持部材４の取付位置を最適に設定することができる（後述する足載せ台としての使用例４（図４（ｂ）参照）においても同様）。
【００２５】
（足載せ台としての使用例３：図４（ａ）参照）
足を比較的低い位置（例えば、踵部が腰よりもやや低い位置）にて伸ばした状態で使用したい場合には、背もたれ兼足載せ台１をソファーＳの前方における適当な位置の床面Ｆ上に、枠台２が第２の状態位置（図２（ｂ）参照：なお、説明の都合上、図２（ｂ）と図４（ａ）とでは背もたれ兼足載せ台１の前後方向の向き（図では左右方向の向き）が逆に描かれている。）となるようにして載置する。そして、使用者Ｍは、ソファーＳに着座するとともに、背もたれ兼足載せ台１における第２の支持部材４上に踵部を載せる。こうして、足の疲れを軽減し、リラックスした姿勢でテレビなどを観賞することができる。なお、図４（ａ）に示される背もたれ兼足載せ台１の前後方向の向き（図では左右方向の向き）は逆であっても良い。
【００２６】
（足載せ台としての使用例４：図４（ｂ）参照）
足を比較的低い位置にて屈曲させた状態で使用したい場合には、背もたれ兼足載せ台１をソファーＳの直前方位置の床面Ｆ上に、枠台２が第２の状態位置となるように載置する。この際、第１の支持部材３を前側に、第２の支持部材４を後側にそれぞれ位置させるように枠台２を床面Ｆ上に載置する。そして、使用者Ｍは、ソファーＳに着座するとともに、背もたれ兼足載せ台１における第２の支持部材４上に膝関節部を、第１の支持部材３上に踵部をそれぞれ載せる。こうして、足を比較的低い位置にてやや曲げながら足の疲れを軽減し、リラックスした姿勢を保つことができる。
【００２７】
（背もたれとしての使用例１：図５（ａ）参照）
上半身を比較的小さく後側に傾けた状態で使用したい場合には、背もたれ兼足載せ台１を使用者Ｍの着座位置の直後方位置における床面Ｆ上に、枠台２が第１の状態位置となるように載置する。そして、使用者Ｍは、背もたれ兼足載せ台１における第１の支持部材３および第２の支持部材４に亘って背中をあずけるようにもたれ掛かる。
【００２８】
（背もたれとしての使用例２：図５（ｂ）参照）
上半身を比較的大きく後側に傾けた状態で使用したい場合には、背もたれ兼足載せ台１を使用者Ｍの着座位置の直後方位置における床面Ｆ上に、枠台２が第２の状態位置となるように載置する。そして、使用者Ｍは、背もたれ兼足載せ台１における第１の支持部材３および第２の支持部材４に亘って背中をあずけるようにもたれ掛かる。
【００２９】
なお、これら背もたれとしての使用例１，２において、上半身の大きさは個人差があるため、第１の支持部材３および／または第２の支持部材４の枠台２に対する取付位置を適宜調節することにより、使用者Ｍの上半身の大きさに応じて、第１の支持部材３および／または第２の支持部材４の取付位置を最適に設定することができる。
【００３０】
本実施形態の背もたれ兼足載せ台１によれば、人の足または上半身を支える第１の支持部材３および第２の支持部材４が枠台２に段違いで取り付けられるとともに、この枠台２が第１の状態位置（図２（ａ）参照）にあるときに上段に位置する第１の支持部材３の高さ位置Ｈ１が、その枠台２が第２の状態位置（図２（ｂ）参照）にあるときに上段に位置する第２の支持部材４の高さ位置よりも高くなるようにされているので、足載せ台として使用される場合にはその高さ位置を、背もたれとして使用される場合にはその傾き具合を、枠台２の傾動操作によりそれぞれ容易に調節することができる。しかも、このような作用効果は、枠台２に段違いで取り付けられる第１の支持部材３および第２の支持部材４の配置に特徴をもたせるといった極めて簡易な構造により得ることができる。
【００３１】
〔第２の実施形態〕
図６には、本発明の第２の実施形態に係る背もたれ兼足載せ台の全体斜視図が示されている。なお、本実施形態の背もたれ兼足載せ台１Ａは、前記第１の実施形態の背もたれ兼足載せ台１に対し、枠台の形状が若干異なるのみでその基本構造は同一であるため、前記第１の実施形態の背もたれ兼足載せ台１と同一または同様のものについては図に同一符号を付してその詳細な説明を省略することとする。
【００３２】
本実施形態の背もたれ兼足載せ台１Ａにおいて第１の支持部材３および第２の支持部材４が取り付けられる枠台２Ａは、左右方向に所定幅離間させて配される一対の脚部材２０，２０と、これら脚部材２０，２０を連結する第１の連結部材６、第２の連結部材７および第３の連結部材２１とより構成されている。前記各脚部材２０，２０は、側方より見て倒立略Ｕの字形状を呈しており、垂直方向に延び前後方向に所定幅離間させて配される前側垂直脚部２０ｂおよび後側垂直脚部２０ａと、これら前側垂直脚部２０ｂおよび後側垂直脚部２０ａのそれぞれの上端部位を繋ぐように上凸に屈曲された屈曲部２０ｃとより構成され、例えばＵの字状に屈曲形成された木製角材よりなるものである。前記第１の連結部材６は、前記一対の脚部材２０，２０における互いの屈曲部２０ｃを繋ぐように配置され、前記第２の連結部材７は、前記一対の脚部材２０，２０における互いの前側垂直脚部２０ｂの下部位置を繋ぐように配置され、前記第３の連結部材２１は、前記一対の脚部材２０，２０における互いの後側垂直脚部２０ａの下部位置を繋ぐように配置されている。なお、前記第３の連結部材２１は、各脚部材２０，２０との外観上の調和等を図るために木製の角材よりなり、螺子１１によって各脚部材２０，２０に固定されている。なお、この枠台２Ａとしては、金属製、木製および硬質プラスチック製のいずれであっても良い。
【００３３】
前記枠台２Ａにおいては、各脚部材２０，２０における前側垂直脚部２０ｂおよび後側垂直脚部２０ａのそれぞれの下端面が床面Ｆと対向するように当該枠台２Ａが床に載置される図７（ａ）に示されるような第１の状態位置と、各脚部材２０，２０における後側垂直脚部２０ａの後面（図６に示される状態を基準とした場合の後面）が床面Ｆと対向するように当該枠台２Ａが床に載置される図７（ｂ）に示されるような第２の状態位置とを有している。そして、図７（ａ）に示されるような第１の状態位置にある枠台２Ａを図において右側に９０°傾倒させるような傾動操作により、枠台２Ａの状態位置が図７（ｂ）に示される第２の状態位置に切り替えられる。これとは逆に、図７（ｂ）に示されるような第２の状態位置にある枠台２Ａを図において左側に９０°傾倒させるような傾動操作により、枠台２Ａの状態位置が図７（ａ）に示される第１の状態位置に切り替えられる。
【００３４】
本実施形態の背もたれ兼足載せ台１Ａにおいても、枠台２Ａが前記第１の状態位置にあるときには前記第１の支持部材３が上段に位置するのに対して（図７（ａ）参照）、枠台２Ａが前記第２の状態位置にあるときには前記第２の支持部材４が上段に位置し（図７（ｂ）参照）、かつ枠台２Ａが第１の状態位置にあるときの第１の支持部材３の高さ位置Ｈ１（図７（ａ）参照）が、枠台２Ａが第２の状態位置にあるときの第２の支持部材４の高さ位置Ｈ２（図７（ｂ）参照）よりも高くなるように（Ｈ１＞Ｈ２）、第１の支持部材３および第２の支持部材４の配置が、言い換えれば第１の連結部材６および第２の連結部材７の枠台２Ａに対する固定位置関係が、それぞれ設定されている。
【００３５】
さらに、前記枠台２Ａにおける各脚部材２０，２０には、図６に示されるように、螺子９を挿入可能な螺子挿入孔２２が屈曲部２０ｃの頂上部から前側垂直脚部２０ｂに向かう方向に所定ピッチで所要個数だけ穿設されている。また、各脚部材２０，２０における前側垂直脚部２０ｂの下部位置には、螺子１０を挿入可能な螺子挿入孔２３が当該前側垂直脚部２０ｂの長手方向に沿って所定ピッチで所要個数だけ穿設されている。
【００３６】
以上に述べたように構成される背もたれ兼足載せ台１Ａの使用方法は、前記第１の実施形態の背もたれ兼足載せ台１の使用方法と同様である。本実施形態の背もたれ兼足載せ台１Ａによっても、前記第１の実施形態の背もたれ兼足載せ台１と同様の作用効果を得ることができる。
【００３７】
前記各実施形態においては、使用者ＭがソファーＳに着座した状態で足を背もたれ兼足載せ台１，１Ａに載せる使用態様を例示したが、使用者Ｍが床上に寝そべった状態で足を背もたれ兼足載せ台１，１Ａに載せる、所謂足枕としての使用態様もあり得る。
【図面の簡単な説明】
【００３８】
【図１】本発明の第１の実施形態に係る背もたれ兼足載せ台の全体斜視図
【図２】背もたれ兼足載せ台の側面図で、枠台が第１の状態位置にある場合（ａ）および枠台が第２の状態位置にある場合（ｂ）
【図３】足載せ台としての使用説明図（１）
【図４】足載せ台としての使用説明図（２）
【図５】背もたれとしての使用説明図
【図６】本発明の第２の実施形態に係る背もたれ兼足載せ台の全体斜視図
【図７】背もたれ兼足載せ台の側面図で、枠台が第１の状態位置にある場合（ａ）および枠台が第２の状態位置にある場合（ｂ）
【符号の説明】
【００３９】
１，１Ａ    背もたれ兼足載せ台
２，２Ａ    枠台
３          第１の支持部材
４          第２の支持部材
５，２０    脚部材
６          第１の連結部材
７          第２の連結部材
８，２１    第３の連結部材
１４        クッション材
【図１】
2007222212.tif 000003
【図２】
2007222212.tif 000004
【図３】
2007222212.tif 000005
【図４】
2007222212.tif 000006
【図５】
2007222212.tif 000007
【図６】
2007222212.tif 000008
【図７】
2007222212.tif 000009